(57)【特許請求の範囲】
【請求項１】
無線ＬＡＮのアドホックモード通信手段とインフラストラクチャモード通信手段とを有し、且つ、該インフラストラクチャモード通信手段におけるアクセスポイントとの間の通信状態を測定するアクセスポイント通信状態測定手段を有する端末における無線通信メディアの切替方法であって、
送信元端末が、前記アドホックモード通信手段を用いて、宛先端末へ、ルート要求パケットを送信する第１のステップと、
前記宛先端末が、前記インフラストラクチャモード通信手段を用いて前記アクセスポイントと通信可能な場合に、前記アクセスポイント通信状態測定手段によって前記アクセスポイントとの間の通信状態を測定する第２のステップと、
前記宛先端末が、前記測定された通信状態情報をルート応答パケットに付加して、前記アドホックモード通信手段を用いて前記送信元端末へ応答する第３のステップと、
前記送信元端末が、前記ルート応答パケットによって受信した前記通信状態情報に基づいて、前記インフラストラクチャモード又は前記アドホックモードのいずれで通信するかを決定する第４のステップと
を有することを特徴とする無線通信メディアの切替方法。
【請求項２】
前記アドホックモード通信手段は、ＡＯＤＶ（Ａｄ−ｈｏｃ  Ｏｎ−Ｄｅｍａｎｄ  Ｄｉｓｔａｎｃｅ  Ｖｅｃｔｏｒ  ｒｏｕｔｉｎｇ）プロトコルを用いており、
前記ルート要求パケットは、ＲＲＥＱパケットであり、
前記ルート応答パケットは、ＲＲＥＰパケットである
ことを特徴とする請求項１に記載の無線通信メディアの切替方法。
【請求項３】
前記端末の前記アクセスポイント通信状態測定手段は、”ｉｗｃｏｎｆｉｇ”コマンドによって、前記通信状態情報に含まれる通信帯域を測定し、
前記送信元端末は、前記ルート応答パケットに付加された前記通信状態情報に含まれる前記通信帯域と、当該送信元端末によって測定した前記通信帯域とを比較し、狭い方の通信帯域を前記インフラストラクチャモード通信手段における通信帯域と認定することを特徴とする請求項１又は２に記載の無線通信メディアの切替方法。
【請求項４】
前記通信帯域に対して、アドホックモードからインフラストラクチャモードへ切り替える上限閾値と、インフラストラクチャモードからアドホックモードへ切り替える下限閾値とを設定することを特徴とする請求項３に記載の無線通信メディアの切替方法。
【請求項５】
前記端末は、当該端末の位置情報を検出する位置情報検出手段と、位置情報プロファイルを蓄積する蓄積手段とを更に有しており、
前記第３のステップについて、前記宛先端末は、前記位置情報検出手段を用いて前記位置情報をルート応答パケットに更に付加し、
前記第４のステップについて、前記送信元端末は、受信した前記位置情報に基づいて、前記蓄積手段を用いて前記インフラストラクチャモード又は前記アドホックモードのいずれで通信するかを決定する
ことを特徴とする請求項１から４のいずれか１項に記載の無線通信メディアの切替方法。
【請求項６】
前記第４のステップについて、前記送信元端末が、前記アドホックモードから前記インフラストラクチャモードに切り替えようとする際に、前記宛先端末の前記位置情報が、前記インフラストラクチャモードで受信可能な地域範囲を所定の時間又は距離で脱出する位置にある場合、前記アドホックモードから前記インフラストラクチャモードへ切り替えないように制御されることを特徴とする請求項５に記載の無線通信メディアの切替方法。
【請求項７】
前記端末は、移動通信網通信手段を更に有しており、
前記送信元端末が、前記インフラストラクチャモード通信手段と、前記アドホックモード通信手段と、前記移動通信網通信手段とそれぞれについて、前記宛先端末へ”ｐｉｎｇ”コマンドを送信することによる遅延時間を測定するステップを更に有し、
前記第４のステップは、前記送信元端末が、前記遅延時間を更に考慮して、前記インフラストラクチャモード通信手段、前記アドホックモード通信手段又は前記移動通信網通信手段のいずれで通信するかを決定する
ことを特徴とする請求項１から６のいずれか１項に記載の無線通信メディアの切替方法。
【請求項８】
前記第３のステップについて、前記宛先端末が、前記インフラストラクチャモード通信手段、前記アドホックモード通信手段又は前記移動通信網通信手段についての使用可否情報を、前記ルート応答パケットに更に付加し、
前記第４のステップについて、前記送信元端末が、前記ルート応答パケットによって受信した前記使用可否情報に基づいて、前記インフラストラクチャモード通信手段、前記アドホックモード通信手段又は前記移動通信網通信手段のいずれで通信するかを決定する
ことを特徴とする請求項７に記載の無線通信メディアの切替方法。
【請求項９】
前記端末の前記アクセスポイント通信状態測定手段は、前記アクセスポイントから発信されるビーコン信号を受信し、前記通信状態情報として該ビーコン信号の受信レベルを測定し、
前記送信元端末は、前記受信レベルに基づいて、前記インフラモード通信手段及び前記アドホックモード通信手段の無線ＬＡＮ通信手段か、又は、前記移動通信網通信手段のいずれで通信するかを決定することを特徴とする請求項７又は８に記載の無線通信メディアの切替方法。
【請求項１０】
前記受信レベルに対して、前記移動通信網通信手段から前記無線ＬＡＮ通信手段へ切り替える上限閾値と、前記無線ＬＡＮ通信手段から前記移動通信網通信手段へ切り替える下限閾値とを設定することを特徴とする請求項９に記載の無線通信メディアの切替方法。
【請求項１１】
無線ＬＡＮのアドホックモード通信手段とインフラストラクチャモード通信手段とを有し、且つ、該インフラストラクチャモード通信手段におけるアクセスポイントとの間の通信状態を測定するアクセスポイント通信状態測定手段を有する端末における異なる無線通信メディアの通信状態測定方法であって、
前記アドホックモード通信手段を用いて、他の端末からルート要求パケットを受信する第１のステップと、
前記インフラストラクチャモード通信手段を用いて前記アクセスポイントと通信可能な場合に、前記アクセスポイント通信状態測定手段を用いて前記アクセスポイントとの間の通信状態を測定する第２のステップと、
前記測定された通信状態情報をルート応答パケットに付加して、前記アドホックモード通信手段を用いて応答する第３のステップと
を有することを特徴とする通信状態測定方法。
【請求項１２】
前記アドホックモード通信手段は、ＡＯＤＶプロトコルを用いており、
前記ルート要求パケットは、ＲＲＥＱパケットであり、
前記ルート応答パケットは、ＲＲＥＰパケットである
ことを特徴とする請求項１１に記載の無線通信メディアの切替方法。
【請求項１３】
前記アクセスポイント通信状態測定手段は、”ｉｗｃｏｎｆｉｇ”コマンドによって、前記通信状態情報として通信帯域を測定することを特徴とする請求項１１又は１２に記載の通信状態測定方法。
【請求項１４】
前記アクセスポイント通信状態測定手段は、前記アクセスポイントから発信されるビーコン信号を受信し、前記通信状態情報として該ビーコン信号の受信レベルを測定することを特徴とする請求項１１から１３のいずれか１項に記載の通信状態測定方法。
【請求項１５】
前記端末は、当該端末の位置情報を検出する位置情報検出手段を更に有し、
前記第３のステップは、前記位置情報をルート応答パケットに更に付加することを特徴とする請求項１１から１４のいずれか１項に記載の通信状態測定方法。
【発明の詳細な説明】
【０００１】
【発明の属する技術分野】
本発明は、無線通信メディアの切替方法及びその通信状態測定方法に関する。特に、複数の異なる無線通信メディアを有するマルチメディア端末において、その移動中に、ユーザ要求又はユーザの位置情報等によって最適な無線通信メディアを切り替えながら、同一サービスをシームレスに提供する方法に関する。
【０００２】
【従来の技術】
移動環境における無線通信の高速伝送技術及びローミング技術の発展に伴って、端末が移動中であっても複数の無線通信メディアを利用できる環境が整備されつつある。従って、端末間の論理リンクを切断することなく、物理リンクの無線通信メディアを切り替えながら通信を維持する方法がある（例えば非特許文献１参照）。
【０００３】
非特許文献１に係る発明によれば、無線システム切替ソフトウェアを用いて、複数の無線通信メディアを一元的に管理している。その上で、ユーザ要求、通信状況、周辺状況又は利用アプリケーション等に応じて、無線通信メディアが選択される。複数の無線通信メディアとしては、▲１▼５ＧＨｚ帯高速無線アクセスシステムであるＡＷＡ（Ａｄｖａｎｃｅｄ  Ｗｉｒｅｌｅｓｓ  Ａｃｃｅｓｓ）システム、▲２▼無線ＬＡＮ、▲３▼携帯電話、▲４▼ＰＨＳ等がある。
【０００４】
【非特許文献１】
柴山大樹、大槻信也、鈴木康夫、相河聡、「ＡＷＡと他システムを利用した無線ローミングの一検討」２００２年電子情報通信学会通信ソサイエティ大会Ｂ−５−１９８、Ｐ．４９５
【０００５】
【発明が解決しようとする課題】
しかしながら、従来の技術によれば、いずれの要因に応じて無線通信メディアを切り替えるのが適切であるか否かの議論は十分ではない。特に、通信状況に応じて無線通信メディアを切り替えるとしても、送信元端末から宛先端末へ”ｐｉｎｇ”パケットを送信し、その応答時間が最も短い無線通信メディアを選択する程度のことしかできなかった。これは、送信元端末は、中継装置までの通信状況情報を得ることができるけれども、相手先の宛先端末と中継装置との間の通信状況情報を得ることはできないことにも起因する。特に、非特許文献１についても、具体的な切替手法について全く記述されておらず、その実現性については乏しかった。
【０００６】
そこで、本発明は、無線通信メディアの通信状況情報を正確に収集した上で、その通信状況情報に応じて最適に無線通信メディアを切り替えるための方法を提供することを目的とする。
【０００７】
【課題を解決するための手段】
本発明は、無線ＬＡＮのアドホックモード通信手段とインフラストラクチャモード通信手段とを有し、且つ、該インフラストラクチャモード通信手段におけるアクセスポイントとの間の通信状態を測定するアクセスポイント通信状態測定手段を有する端末における無線通信メディアの切替方法及びその通信状態測定方法に関する。
【０００８】
本発明における無線通信メディアの切替方法は、
送信元端末が、アドホックモード通信手段を用いて、宛先端末へ、ルート要求パケットを送信する第１のステップと、
宛先端末が、インフラストラクチャモード通信手段を用いてアクセスポイントと通信可能な場合に、アクセスポイント通信状態測定手段によってアクセスポイントとの間の通信状態を測定する第２のステップと、
宛先端末が、測定された通信状態情報をルート応答パケットに付加して、アドホックモード通信手段を用いて送信元端末へ応答する第３のステップと、
送信元端末が、ルート応答パケットによって受信した通信状態情報に基づいて、インフラストラクチャモード又はアドホックモードのいずれで通信するかを決定する第４のステップとを有することを特徴とする。
【０００９】
また、本発明における無線通信メディアの切替方法の他の実施形態によれば、アドホックモード通信手段は、ＡＯＤＶプロトコルを用いており、ルート要求パケットは、ＲＲＥＱパケットであり、ルート応答パケットは、ＲＲＥＰパケットであることも好ましい。
【００１０】
更に、本発明における無線通信メディアの切替方法の他の実施形態によれば、端末のアクセスポイント通信状態測定手段は、”ｉｗｃｏｎｆｉｇ”コマンドによって、通信状態情報に含まれる通信帯域を測定し、
送信元端末は、ルート応答パケットに付加された通信状態情報に含まれる通信帯域と、当該送信元端末によって測定した通信帯域とを比較し、狭い方の通信帯域をインフラストラクチャモード通信手段における通信帯域と認定することも好ましい。
【００１１】
更に、本発明における無線通信メディアの切替方法の他の実施形態によれば、通信帯域に対して、アドホックモードからインフラストラクチャモードへ切り替える上限閾値と、インフラストラクチャモードからアドホックモードへ切り替える下限閾値とを設定することも好ましい。
【００１２】
更に、本発明における無線通信メディアの切替方法の他の実施形態によれば、端末は、当該端末の位置情報を検出する位置情報検出手段と、位置情報プロファイルを蓄積する蓄積手段とを更に有しており、
第３のステップについて、宛先端末は、位置情報検出手段を用いて位置情報をルート応答パケットに更に付加し、
第４のステップについて、送信元端末は、受信した位置情報に基づいて、蓄積手段を用いてインフラストラクチャモード又はアドホックモードのいずれで通信するかを決定する
ことも好ましい。
【００１３】
更に、本発明における無線通信メディアの切替方法の他の実施形態によれば、第４のステップについて、送信元端末が、アドホックモードからインフラストラクチャモードに切り替えようとする際に、宛先端末の位置情報が、インフラストラクチャモードで受信可能な地域範囲を所定の時間又は距離で脱出する位置にある場合、アドホックモードからインフラストラクチャモードへ切り替えないように制御されることも好ましい。
【００１４】
更に、本発明における無線通信メディアの切替方法の他の実施形態によれば、
端末は、移動通信網通信手段を更に有しており、
送信元端末が、インフラストラクチャモード通信手段と、アドホックモード通信手段と、移動通信網通信手段とそれぞれについて、宛先端末へ”ｐｉｎｇ”コマンドを送信することによる遅延時間を測定するステップを更に有し、
第４のステップは、送信元端末が、遅延時間を更に考慮して、インフラストラクチャモード通信手段、アドホックモード通信手段又は移動通信網通信手段のいずれで通信するかを決定することも好ましい。
【００１５】
更に、本発明における無線通信メディアの切替方法の他の実施形態によれば、第３のステップについて、宛先端末が、インフラストラクチャモード通信手段、アドホックモード通信手段又は移動通信網通信手段についての使用可否情報を、ルート応答パケットに更に付加し、
第４のステップについて、送信元端末が、ルート応答パケットによって受信した使用可否情報に基づいて、インフラストラクチャモード通信手段、アドホックモード通信手段又は移動通信網通信手段のいずれで通信するかを決定することも好ましい。
【００１６】
更に、本発明における無線通信メディアの切替方法の他の実施形態によれば、
端末のアクセスポイント通信状態測定手段は、アクセスポイントから発信されるビーコン信号を受信し、通信状態情報として該ビーコン信号の受信レベルを測定し、
送信元端末は、受信レベルに基づいて、インフラモード通信手段及びアドホックモード通信手段の無線ＬＡＮ通信手段か、又は、移動通信網通信手段のいずれで通信するかを決定することも好ましい。
【００１７】
更に、本発明における無線通信メディアの切替方法の他の実施形態によれば、
受信レベルに対して、移動通信網通信手段から無線ＬＡＮ通信手段へ切り替える上限閾値と、無線ＬＡＮ通信手段から移動通信網通信手段へ切り替える下限閾値とを設定することも好ましい。
【００１８】
本発明における無線通信メディアの通信状態測定方法によれば、
アドホックモード通信手段を用いて、他の端末からルート要求パケットを受信する第１のステップと、
インフラストラクチャモード通信手段を用いてアクセスポイントと通信可能な場合に、アクセスポイント通信状態測定手段を用いてアクセスポイントとの間の通信状態を測定する第２のステップと、
測定された通信状態情報をルート応答パケットに付加して、アドホックモード通信手段を用いて応答する第３のステップと
を有することを特徴とする。
【００１９】
また、本発明における無線通信メディアの通信状態測定方法の他の実施形態によれば、アドホックモード通信手段は、ＡＯＤＶプロトコルを用いており、ルート要求パケットは、ＲＲＥＱパケットであり、ルート応答パケットは、ＲＲＥＰパケットであることも好ましい。
【００２０】
更に、本発明における無線通信メディアの通信状態測定方法の他の実施形態によれば、アクセスポイント通信状態測定手段は、”ｉｗｃｏｎｆｉｇ”コマンドによって、通信状態情報として通信帯域を測定することも好ましい。
【００２１】
【発明の実施の形態】
以下では、図面を用いて、本発明の実施形態を詳細に説明する。
【００２２】
図１は、本発明における車々間通信のシステム構成図である。
【００２３】
図１によれば、各車両が、複数の無線通信メディアを用いて通信可能な端末を搭載していることを想定しており、プロファイル情報に基づいて無線通信メディアを切り替えることができる。また、各端末は、ＧＰＳ（Ｇｌｏｂａｌ  Ｐｏｓｉｔｉｏｎｉｎｇ  Ｓｙｓｔｅｍ）によって、自車両の位置情報を常時取得できるものとする。ここで、各端末は、以下のプロファイル情報を有することとする。
・通信メディアプロファイル：物理的な通信インターフェースの有無及び使用可否に関する情報
・位置情報プロファイル：車両の現在位置、移動速度、移動方向に関する情報・通信状態プロファイル：エンド〜エンドの車両間の有効通信帯域及び遅延時間に関する情報
【００２４】
図１によれば、端末が有する無線通信手段としては、無線ＬＡＮのアドホックモード通信手段と、インフラストラクチャモード通信手段と、移動通信網通信手段とがある。これにより、送信元車両Ａから宛先車両Ｚに対しては、複数の通信経路▲１▼、▲２▼及び▲３▼が表されている。
経路▲１▼：送信元車両Ａ→（アドホックモード）→宛先車両Ｚ
経路▲２▼：送信元車両Ａ→（インフラストラクチャモード）→宛先車両Ｚ
経路▲３▼：送信元車両Ａ→（移動通信網）→宛先車両Ｚ
【００２５】
図２は、図１における車々間通信のシーケンス図である。
【００２６】
本発明の一実施形態として、端末は、無線ＬＡＮのアドホックモードにおける通信プロトコルとして、ＡＯＤＶ（Ａｄ−ｈｏｃ  Ｏｎ−Ｄｅｍａｎｄ  Ｄｉｓｔａｎｃｅ  Ｖｅｃｔｏｒ  ｒｏｕｔｉｎｇ）プロトコルを使用することができる。これにより、アドホックネットワークにおける経路を仮決定することができる。尚、ＡＯＤＶプロトコルは、各ノードが保持しているテーブルデータにライフタイムが設定されており、そのライフタイムの経過毎に、再度の経路決定が行われる。従って、定期的にＲＲＥＱ及びＲＲＥＰのやりとりが行われることとなる。
【００２７】
（Ｓ１）送信元車両Ａの端末が、アドホックモード通信手段を用いて、宛先車両Ｚの端末へ、ルート要求パケット（ＲＲＥＱ）を送信する。宛先車両Ｚの端末のＩＰアドレスが、ＲＲＥＱにおける「Ｄｅｓｔｉｎａｔｉｏｎ  ＩＰ  Ａｄｄｒｅｓｓ」となる。
（Ｓ２）宛先車両Ｚの端末が、インフラストラクチャモード通信手段を用いてアクセスポイント（以下「ＡＰ」という）と通信可能な場合に、アクセスポイント通信状態測定手段によってＡＰとの間の通信状態を測定する。ここで、”ｉｗｃｏｎｆｉｇ”コマンドによって、通信状態情報に含まれる通信帯域を測定することができる。
【００２８】
例えば、”ｉｗｃｏｎｆｉｇ”コマンドによれば、端末とＡＰとの間で、以下のような情報を取得することができる。
0003632693.tif 000002
【００２９】
（Ｓ３）宛先車両Ｚの端末が、測定された通信状態情報をルート応答パケット（ＲＲＥＰ）に付加して、アドホックモード通信手段を用いて送信元車両Ａの端末へ応答する。通常、送信元車両Ａの端末とＡＰとの間の通信状態、又は送信元車両Ａの端末と宛先車両Ｚの端末との間の通信状態しか測定できないが、本発明のようなシーケンスによって宛先車両Ｚの端末とＡＰとの間の通信状態も測定できることとなる。アドホックネットワーク内のホップ数については、ＲＲＥＰのフィールド内に含まれる。
【００３０】
尚、ＲＲＥＰには、更なる情報を付加することができる。
・宛先車両の端末とＡＰとの間の通信帯域及び通信速度
・宛先車両の端末の位置情報（ＧＰＳによる緯度及び緯度）
・宛先車両の端末の走行速度及び走行方向
・宛先車両の端末におけるインフラストラクチャモードの利用可否
（ＡＰ圏内残時間から判定）
・宛先車両の端末を配下とするＡＰのＭＡＣアドレス及び位置情報
・移動通信網（携帯電話又はＰＨＳ等）の利用可否
・ＡＯＤＶにより経路決定した宛先車両の端末までの中継ノードの位置情報等
【００３１】
（Ｓ４）送信元車両Ａの端末は、アドホックネットワークを介して”ｐｉｎｇ”コマンドによって遅延時間を測定する。
【００３２】
（Ｓ５）送信元車両Ａの端末は、該端末とＡＰとの間の通信帯域を、”ｉｗｃｏｎｆｉｇ”コマンドによって測定する。
（Ｓ６）また、送信元車両Ａの端末は、インフラストラクチャモードにおけるＡＰを介して”ｐｉｎｇ”コマンドによって遅延時間を測定する。
【００３３】
（Ｓ７）更に、送信元車両Ａの端末は、移動通信網を介して宛先車両Ｚの端末との間の通信帯域を取得する。
（Ｓ８）また、送信元車両Ａの端末は、移動通信網を介して”ｐｉｎｇ”コマンドによって遅延時間を測定する。
【００３４】
前述したシーケンスを採ることによって、送信元車両Ａの端末は、以下の通信状態を比較することによって、最良の通信メディアを選択することができる。
・アドホックモード：ＡＯＤＶによって取得された通信状態
・インフラストラクチャモード：送信元車両Ａの端末とＡＰとの間と、宛先車両Ｚの端末とＡＰとの間の通信状態とについて、劣悪な方の通信状態
・移動通信網：規定の通信状態
【００３５】
更に、本発明によれば、送信元及び宛先車両それぞれの移動速度及びＡＰの位置情報により、ＡＰ圏内残時間を算出し、予め設定するＡＰ圏内残時間に応じてインフラストラクチャモード切替可否を決定する。
【００３６】
図３は、本発明における車両−インターネット間通信のシステム構成図である。
【００３７】
送信元車両Ａからインターネット４への接続に対しては、複数の通信経路▲４▼、▲５▼及び▲６▼が表されている。
経路▲４▼：送信元車両Ａ→（アドホックモード）→ゲートウェイ車両Ｙ→（インフラストラクチャモード）→インターネット
経路▲５▼：送信元車両Ａ→（インフラストラクチャモード）→インターネット
経路▲６▼：送信元車両Ａ→（移動通信網）→インターネット
【００３８】
ここで、ゲートウェイ車両とは、無線ＬＡＮのＡＰ圏内に位置する車両のことをいう。
【００３９】
図４は、図３における車両−インターネット間通信のシーケンス図である。
【００４０】
（Ｓ１）送信元車両Ａの端末が、アドホックモード通信手段を用いて、他の車両の端末へ、ＲＲＥＱを送信する。ＲＲＥＱは、ＡＰと通信可能なゲートウェイ車両まで転送される。
（Ｓ２）ＡＰと通信可能なゲートウェイ車両Ｙの端末は、ＲＲＥＱを受信すると、アクセスポイント通信状態測定手段によってＡＰとの間の通信状態を測定する。ここで、”ｉｗｃｏｎｆｉｇ”コマンドによって、通信状態情報に含まれる通信帯域を測定することができる。
【００４１】
（Ｓ３）ゲートウェイ車両Ｙの端末は、測定された通信状態情報をＲＲＥＰに付加して、アドホックモード通信手段を用いて送信元車両Ａの端末へ応答する。こにより、送信元車両Ａの端末からゲートウェイ車両Ｙの端末を介してＡＰまでの通信状態を推定することができる。
【００４２】
尚、ＲＲＥＰには、更なる情報を付加することができる。
・ゲートウェイ車両の端末とＡＰとの間の通信帯域及び通信速度
・ゲートウェイ車両の端末の位置情報（ＧＰＳによる緯度及び緯度）
・ゲートウェイ車両の端末の走行速度及び走行方向
・ゲートウェイ車両の端末におけるインフラストラクチャモードの利用可否
（ＡＰ圏内残時間から判定）
・ゲートウェイ車両の端末を配下とするＡＰのＭＡＣアドレス及び位置情報
・インフラストラクチャモード、アドホックモード、移動通信網（携帯電話又はＰＨＳ等）の利用可否
・ＡＯＤＶにより経路決定したゲートウェイ車両の端末までの中継ノードの位置情報等
【００４３】
（Ｓ４）送信元車両Ａの端末は、アドホックネットワークを介して”ｐｉｎｇ”コマンドによって遅延時間を測定する。
【００４４】
（Ｓ５）送信元車両Ａの端末は、該端末とＡＰとの間の通信帯域を、”ｉｗｃｏｎｆｉｇ”コマンドによって測定する。
（Ｓ６）また、送信元車両Ａの端末は、インフラストラクチャモードにおけるＡＰへの”ｐｉｎｇ”コマンドによって遅延時間を測定する。
【００４５】
（Ｓ７）更に、送信元車両Ａの端末は、移動通信網を介して宛先車両Ｚの端末との間の通信帯域を取得する。
（Ｓ８）また、送信元車両Ａの端末は、移動通信網を介して”ｐｉｎｇ”コマンドによって遅延時間を測定する。
【００４６】
前述したシーケンスを採ることによって、送信元車両Ａの端末は、以下の通信状態を比較することによって、最良の通信メディアを選択することができる。
・アドホックモード：ＡＯＤＶによって取得された通信状態と、ゲートウェイ車両Ｙの端末とＡＰとの間の通信状態とを合わせた通信状態
・インフラストラクチャモード：送信元車両Ａの端末とＡＰとの間の通信状態
・移動通信網：規定の通信状態
【００４７】
図５は、本発明における無線通信メディアの切替のフローチャートである。
【００４８】
送信元車両Ａは、通信メディア毎に収集したプロファイル情報により、切替アルゴリズムに基づいて通信メディアを切り替える。ここで自動切替には、▲１▼通信帯域優先と、▲２▼条件付き通信帯域優先とがある。▲１▼通信帯域優先は、遅延時間によらず、エンド〜エンドでの通信帯域が最も大きいメディアに切り替える。▲２▼条件付き通信帯域優先は、予め設定した遅延時間を満足する通信メディアの中で、エンド〜エンドでの通信帯域が最も大きなメディアに切り替える。
【００４９】
ここで、頻繁な通信メディアの切替を回避する切替方法について説明する。尚、以下でいう切替改善率とは、過去の通信帯域及び遅延時間の各平均値の比が、ある一定値を超えた場合に切替を行うパラメータをいう。
【００５０】
切替▲１▼又は▲２▼の自動切替を採用した場合、通信帯域又は遅延時間の変動により頻繁な切替が発生する場合が考えられる。そこで、以下の条件を満足する場合にのみ、通信メディアの切替を行い、そうでない場合は現状の通信メディアを継続して使用するものとする。
【００５１】
切替▲１▼の場合：通信帯域＝○○％以上
切替▲２▼の場合：通信帯域＝○○％以上及び遅延時間，□□％以上
【００５２】
尚、プロファイル情報（通信状態プロファイル）の収集タイミング毎に、直前の取得値と比較した比を算出し、予め設定した切替改善率を上回る場合のみメディア切替を行うこととする。
【００５３】
図６は、本発明における受信レベルに基づく無線通信メディアの切り替えを示すグラフである。
【００５４】
通信メディアの切り替えのトリガとして、ＡＰから受信しているビーコン信号の受信レベル（ＲＳＳＩ：Ｒｅｃｅｉｖｅｄ  Ｓｉｇｎａｌ  Ｓｔｒｅｎｇｔｈ  Ｉｎｄｉｃａｔｏｒ）を用いる。図６によれば、通信帯域に対して、アドホックモードからインフラストラクチャモードへ切り替える上限閾値と、インフラストラクチャモードからアドホックモードへ切り替える下限閾値とを設定している。これにより、通信メディアの切り替えが頻繁に発生しないようにすることができる。
【００５５】
図６によれば、ＲＳＳＩレベルが圏内閾値を上回った時に、圏内フラグを立て圏外フラグをクリアする。圏内フラグが立った場合にのみ、無線ＬＡＮの通信可能情報をユーザに通知する。圏外閾値を下回り、圏内フラグがクリアされない限り、再度圏内閾値を上回っても新たな圏内フラグは立てない。
【００５６】
また、ＲＳＳＩレベルが圏外閾値を下回った時に、圏外フラグを立て圏内フラグをクリアする。圏外フラグが立った場合にのみ、無線ＬＡＮの通信不可情報をユーザに通知する。圏内閾値を上回り、圏外フラグがクリアされない限り、再度圏外閾値を下回っても新たな圏外フラグは立てない。
【００５７】
図７は、本発明におけるシステム構成図である。また、図８は、本発明における切替シーケンスである。
【００５８】
（１）ＰＨＳ等の移動通信機器及び無線ＬＡＮを有する移動端末において、通信要求が発生した場合、移動通信網への接続をデフォルト設定とする。
（２）移動端末は移動通信網経由でモデムが接続されると、ＰＰＰ（Ｐｏｉｎｔ−ｔｏ−Ｐｏｉｎｔ  Ｐｒｏｔｏｃｏｌ）サーバとの間でリンクを確立する。この際、ＬＣＰ（Ｌｉｎｋ  Ｃｏｎｔｒｏｌ  Ｐｒｏｔｏｃｏｌ）レベルでの接続を行うとともに、認証手順としてＰＡＰ（Ｐａｓｓｗｏｒｄ  Ａｕｔｈｅｎｔｉｃａｔｉｏｎ  Ｐｒｏｔｏｃｏｌ）、ＣＨＡＰ（Ｃｈａｌｌｅｎｇｅ  Ｈａｎｄｓｈａｋｅ  Ａｕｔｈｅｎｔｉｃａｔｉｏｎ  Ｐｒｏｔｏｃｏｌ）、又は未使用が選択される。
（３）ＰＡＰ又はＣＨＡＰによる認証が行われ、その際にＲＡＤＩＵＳサーバＡと認証情報を交換する。認証に成功すると、ＰＰＰのＮＣＰ（Ｎｅｔｗｏｒｋ  Ｃｏｎｔｒｏｌ  Ｐｒｏｔｏｃｏｌ）の１つであるＩＰＣＰ（Ｉｎｔｅｒｎｅｔ  Ｐｒｏｔｏｃｏｌ  Ｃｏｎｔｒｏｌ  Ｐｒｏｔｏｃｏｌ）により、ＩＰパケットの転送が可能となる。
（４）移動端末はＤＨＣＰサーバにアクセスすることにより、移動通信網事業者のドメインにおけるＩＰアドレスＡを動的に付与される。またＤＨＣＰサーバは、ＤＮＳサーバに対し、動的ＤＮＳによりアドレス情報の更新を行う。通信相手は必要に応じてＤＮＳサーバを検索することで、移動端末のＩＰアドレスを知ることができる。これにより、通信相手からの着信を含むＩＰ通信が可能となる。
（５）移動端末が別の場所に移動し、通信メディア切替アルゴリズムにより、無線ＬＡＮのＡＰ（Ａｃｃｅｓｓ  Ｐｏｉｎｔ）による通信が可能になったことを検知した場合、ユーザにその旨ＧＵＩ等により提示する。ユーザは、回線速度や通信料金等の通信メディア選択情報に基づいて、適切なアクセス網を選択する。
（６）無線ＬＡＮが選択された場合、メディア固有ＩＰアドレスＢを取得する。
（７）移動端末は、ＤＨＣＰサーバにアクセスし、無線ＬＡＮインターフェースにおけるＩＰアドレスＢを付与される。またＤＨＣＰサーバは、ＤＮＳサーバに対し、動的ＤＮＳによりアドレス情報の更新を行う。これ以降、ＤＮＳを検索した通信相手は、無線ＬＡＮインターフェースのＩＰアドレスを取得できる。
（８）通信相手が再度ＤＮＳを検索するまで、又はその後でもネットワーク内での遅延等により、移動通信網のネットワークにＩＰパケットが到着する。そのため、ＩＰアドレスＡ宛のパケットはしばらく受信可能とし、無線ＬＡＮ側のインターフェースに引き渡す等によりパケット損失を回避する。
（９）移動端末が無線ＬＡＮの通信エリアを外れた場合、移動通信網経由での着信を可能とする。そのため、無線ＬＡＮの通信エリアを外れたら、ＤＮＳサーバに移動通信網のＩＰアドレスを登録するとともに、そのＩＰアドレスを宛先とするパケットを受信した際には、擬似移動通信網側から発呼する。
【００５９】
前述した本発明における種々の実施形態によれば、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【００６０】
【発明の効果】
以上、詳細に説明したように、本発明における異なる無線通信メディアの切替方法及びその通信状態測定方法によれば、ユーザ要求又はユーザ位置情報等により最適な通信メディアをシームレスに切り替えることが可能となる。また、通信インフラ網を介さず無線ＬＡＮのアドホックネットワークを介すことにより、無線ＬＡＮのアクセスポイント圏内でしか享受できなかった広帯域無線通信のエリアを格段に広める効果が期待できる。
【図面の簡単な説明】
【図１】本発明における車々間通信のシステム構成図である。
【図２】図１における車々間通信のシーケンス図である。
【図３】本発明における車両−インターネット間通信のシステム構成図である。
【図４】図３における車両−インターネット間通信のシーケンス図である。
【図５】本発明における無線通信メディアの切替のフローチャートである。
【図６】本発明における受信レベルに基づく無線通信メディアの切り替えを示すグラフである。
【図７】本発明におけるシステム構成図である。
【図８】本発明における切替シーケンスである。
【符号の説明】
１  端末
２  無線ＬＡＮアクセスポイント
３  移動通信網基地局
４  インターネット
５  ＧＰＳ衛星
【図１】
0003632693.tif 000003
【図２】
0003632693.tif 000004
【図３】
0003632693.tif 000005
【図４】
0003632693.tif 000006
【図５】
0003632693.tif 000007
【図６】
0003632693.tif 000008
【図７】
0003632693.tif 000009
【図８】
0003632693.tif 000010